(57)【要約】【課題】凍ると固くなる冷却パックを用いても寝心地や頭部へのフィット性を損なわない冷却枕を提供する。【解決手段】封筒型の枕カバー１の中に枕２を入れて形成し、枕カバー１には平面状に並べた多数のポケット状の袋３を取り付け、各袋３の中にそれぞれ冷却パック４を収容する。【選択図】図１
2006025956.tif 000002
【特許請求の範囲】
【請求項１】
布製の枕カバーに平面状に並べた多数の袋を設け、
これらの袋の中に畜冷剤入りの冷却パックをそれぞれ収容し、
しかして前記枕カバーを枕に装着して形成することを特徴とする冷却枕。
【請求項２】
前記袋が枕カバーの上面にポケット状に取り付けたものであることを特徴とする請求項１記載の冷却枕。
【請求項３】
前記袋が枕カバーの上面を２重構造にした間の空間を桝目状に分割したものであることを特徴とする請求項１記載の冷却枕。
【請求項４】
前記枕が低反発枕であることを特徴とする請求項１記載の冷却枕。
【発明の詳細な説明】
【技術分野】
【０００１】
本発明は、発熱時や就寝時に頭部を冷やして熱や暑さを和らげるために使用する冷却枕に関する。
【背景技術】
【０００２】
暑くて眠れない夜などに、畜冷剤入りの冷却パックを冷蔵庫で凍らせて枕にのせて寝ると、頭が冷えて一晩中自然な冷たさと清涼感を感じて熟睡できるようになる。
一方、クーラーをつけたまま眠ると手足が冷えるので、その刺激が脳を刺激して、眠りを妨げるようになる。また、翌朝目覚めたときに身体がだるくなったり、肩こりや頭痛がしたりするなどの弊害がある。
昔から「頭寒足熱」が安眠の条件といわれており、冷却パックで頭を涼しく保つ冷却枕は手軽な快眠手段として人気がある。
【０００３】
しかしながら、通常の冷却パックは凍るとガチガチに固まるので、そのまま使用すると固い板の上に頭をのせて寝るような感じになり、寝心地が悪く頭部へ十分フィットしないという問題があった。
そのため、冷蔵庫で凍らせても固くならずに柔軟性を保つ冷却パックも市販されているが、通常の冷却パックに比べて冷却に時間がかかる、保冷時間が短いなどの欠点があり、冷却性能が悪かった。
【発明の開示】
【発明が解決しようとする課題】
【０００４】
解決しようとする問題点は、凍っても柔らかな冷却パックは冷却性能が悪い点であり、本発明は、冷却性能に優れるが、凍ると固くなる冷却パックを用いても寝心地や頭部へのフィット性を損なわない冷却枕を提供することを目的になされたものである。
【課題を解決するための手段】
【０００５】
そのため本発明は、布製の枕カバーに平面状に並べた多数の袋を設け、これらの袋の中に畜冷剤入りの冷却パックをそれぞれ収容し、前記枕カバーを枕に装着して冷却枕を形成することを最も主要な特徴とする。
【発明の効果】
【０００６】
本発明の冷却枕は、凍らせても固まらない布製の枕カバーに平面状に並べた多数の袋を設けてその中に冷却パックを収容している。
従って、袋の中の冷却パックが固まっても袋の周りの繋ぎ部分は固まらずに柔軟に折れ曲がるので、一つ一つの冷却パックが頭部の形状に合わせて自由に角度を変えて頭部に密着するようになる。その結果、枕カバー全体が頭部を包むようにフィットして寝心地もよくなる。
【発明を実施するための最良の形態】
【０００７】
以下、本発明の実施の形態について説明する。
【０００８】
図１に、本発明を実施した冷却枕の分解斜視図を示す。
冷却枕は、封筒型の枕カバー１の中に枕２を入れて形成し、枕カバー１には平面状に並べた多数のポケット状の袋３を取り付け、各袋３の中にそれぞれ冷却パック４を収容する構成である。
枕カバー１は、封筒型の他に枕２全体を包み込むピロケースや枕２の上に敷くシーツ状のもの、あるいは枕２に巻くロール状のものであってもよい。
【０００９】
枕カバー１は、感触が柔らかく、凍結しても可撓性と柔軟性を失わない天然繊維、合成繊維、化学繊維などの布や樹脂製のメッシュで形成する。
そのため、凍結しても樹脂フィルムのように固まらず、袋３の周りの繋ぎ部分が柔軟に折れ曲がるので、袋３の中の冷却パック４が凍結して固くなっても一つ一つが良好に頭部にフィットするようになる。
【００１０】
枕２は、低反発ウレタンフォームで形成した低反発枕を使用し、上面に波状の凹凸を設けて首から肩にかけての頚椎のカーブに沿って体圧を支持するようになっている。
これにより、頚椎の形や動きに応じて形状を変化させることができ、首から肩にかけての体圧を均一に吸収、分散させて体圧が一点に集中するのを防いでいる。
そのため、枕２をしたときに感じる首まわりの圧迫感がなくなり、血行を妨げることもなくなる。
低反発枕は熱がこもる性質があるので、このように袋３の中に冷却パック４を入れた枕カバー１を装着するとより快適に利用できる。
【００１１】
本実施例では枕２を低反発ウレタンフォームで形成しているが、羽毛、真綿、蕎麦殻、ビーズなどの材料で形成してもよく、これにより枕２の材料を限定するものではない。
また、枕２の上面を波状に起伏させているが、上面がフラットなタイプのものであってもよい。
【００１２】
袋３は、ファスナや面ファスナを用いて入口を閉じ、中の冷却パック４が露出したり外に出ないようにする。
あるいは、入口に折り返しを設けて中の冷却パック４が露出したり外に出ないようにしてもよい。
あるいは、伸縮性のある布またはメッシュで形成し、布やメッシュの張力で押さえ付けて中の冷却パック４が露出したり外に出ないようにしてもよい。
【００１３】
袋３は、図２に示すように、枕カバー１の上面の布を２重に重ねて桝目状の縫い目５を入れ、これより上面を２重構造にした間の空間を桝目状に分割して形成してもよい。
このように袋３を形成すると、図１の場合に比べ、枕カバー１に多数のポケット状の袋３を別々に縫い付ける手間を省くことができる。
【００１４】
図２の袋３の場合、表面に縦横いずれかの方向に沿って切れ目６を入れ、この切れ目６を開け閉めして冷却パック４を出し入れする。
切れ目６は、図３に示すように、入口部分が２枚の布を重ねた構造になっており、上下の布を重ね合わせて入口を塞ぐようになっている。これにより、中の冷却パック４が露出したり外に出るのを防いでいる。
【００１５】
袋３をポケット状にしたり表面に切れ目６を入れると、中から冷却パック４を取り出して枕カバー１を洗濯できるようになる。
また、枕カバー１を冷蔵庫に入れて冷やす場合、中の冷却パック４を取り出して場所をとらないように冷やすこともできる。
また、一部の冷却パック４が破損したり汚れた場合、それだけ取り出して交換することもできる。
【００１６】
冷却パック４は、図４に示すように、２つ折りにした樹脂フィルム７の３方の周辺部８を熱溶着してシールした袋の中に畜冷剤９を入れたもので、凍結時は固化して固くなる。
冷却パック４を袋３に収容する際は、タオルなどに巻いて収容してもよい。
これにより、冷却パック４が頭部に当たる感触と冷えすぎを和らげることができる。
【００１７】
本発明を実施した冷却枕は以上のような構成で、枕カバー１の各袋３に冷却パック４を入れて冷凍庫などで冷やし、凍結したら取り出して枕２に装着し、その上に頭をのせて寝る。このとき、袋３の中の冷却パック４は凍結して板状に固まっているが、布製の枕カバー１は固まらないので袋３の周りの繋ぎ部分は柔軟に折れ曲がる。
そのため、各冷却パック４が頭部の形状に合わせて自由に角度を変えて頭部に密着し、枕カバー１全体が頭部を包むようにフィットする。
【００１８】
本発明の冷却枕は、個人で使用する他にアイスボックスとセットでホテルや病院などに置くと、顧客サービスや患者サービスの向上に繋がる。
例えば、ホテルの客室などに未使用であることが判るようにビニール袋などに入れて封をした清潔な枕カバー１とアイスボックスに入れた冷却パック４を置いておけば、客が好みに応じてアイスボックスから冷却パック４を取り出し、それを枕カバー１の袋３に入れて使用することができる。
あるいは、ビニール袋などに入れた冷却パック４入りの枕カバー１をアイスボックスにそのまま入れておいてもよい。
このサービスは、比較的冷房が普及していない中近東や中南米などの熱い国や地球温暖化などの影響で最近特に暑くなりつつあるヨーロッパなどの国や地域に有効である。
【図面の簡単な説明】
【００１９】
【図１】本発明を実施した冷却枕の分解斜視図である。
【図２】図１の枕カバーの変形例である。
【図３】図２の袋の断面図である。
【図４】図１および図２の冷却パックの断面図である。
【符号の説明】
【００２０】
１            枕カバー
２            枕
３            袋
４            冷却パック
５            縫い目
６            切れ目
７            樹脂フィルム
８            周辺部
９            畜冷剤
【図１】
2006025956.tif 000003
【図２】
2006025956.tif 000004
【図３】
2006025956.tif 000005
【図４】
2006025956.tif 000006